(57)【要約】      （修正有）【課題】壁に大きな穴を開けることなく、簡単な構造で簡単に取り付けることができる壁掛けフックを提供する。【解決手段】壁掛けフック１０は、内装壁を構成する壁板２０に取り付けて用いるものであり、壁板２０に固定する固定部１１と、この固定部１１に配設されたフック部１２とを備えている。固定部１１は、湾曲された棒状部材よりなり、一端部１１Ａを壁板２０に当接させて、固定部１１の他端部１１Ｂには、壁板２０に設けられた孔２１に引っ掛かる止部１１Ｃが設けられている。【選択図】図２
0003211361.tif 000002
【実用新案登録請求の範囲】
【請求項１】
湾曲された棒状部材よりなり、一端部を壁板に開けられた孔に表面から挿入して壁板に固定される固定部と、
この固定部の他端部に配設されたフック部とを備え、
前記固定部の他端部には、壁板に設けられた孔に引っ掛かる止部が設けられ、
前記固定部は、前記止部が引っ掛かるまで孔に挿入し、一端部を壁板の裏面に当接させて固定される
ことを特徴とする壁掛けフック。
【考案の詳細な説明】
【技術分野】
【０００１】
本考案は、建物の内装壁等を構成する壁板に固定される壁掛けフックに関する。
【背景技術】
【０００２】
従来より、壁掛けフックとしては様々なものが知られている。例えば、特許文献１には、フックとフックを倒伏状態で収納するケーシングとを備え、ケーシングケースを壁に埋め込んで配設して用いるものが記載されている。
【先行技術文献】
【特許文献】
【０００３】
【特許文献１】特開２００５−２４５５５４号公報
【考案の概要】
【考案が解決しようとする課題】
【０００４】
しかしながら、従来の壁掛けフックは、構造が複雑であり、壁への取り付けも面倒であるという問題があった。また、従来の壁掛けフックは、壁に比較的大きな穴を開けなければならないので、壁掛けフックの位置を変えたり、壁掛けフックを取り外した後に、壁に穴が残ってしまい、見た目が悪いという問題もあった。
【０００５】
本考案は、このような問題に基づきなされたものであり、壁に大きな穴を開けることなく、簡単な構造で簡単に取り付けることができる壁掛けフックを提供することを目的とする。
【課題を解決するための手段】
【０００６】
本考案の壁掛けフックは、湾曲された棒状部材よりなり、一端部を壁板に開けられた孔に表面から挿入して壁板に固定される固定部と、この固定部の他端部に配設されたフック部とを備え、固定部の他端部には、壁板に設けられた孔に引っ掛かる止部が設けられ、固定部は、止部が引っ掛かるまで孔に挿入し、一端部を壁板の裏面に当接させて固定されるものである。
【考案の効果】
【０００７】
本考案によれば、固定部を湾曲された棒状部材により構成するようにしたので、固定部を壁板に開けられた孔に挿入することにより、簡単な構造で簡単に取り付けることができる。また、壁板に開ける孔は固定部の棒状部材の直径程度でよいので、大きな孔を開ける必要がなく、取り外したり、位置を変えた場合には、パテなどで容易に孔を埋めることができ、孔を目立たなくすることができる。
【図面の簡単な説明】
【０００８】
【図１】本考案の一実施の形態に係る壁掛けフックの構成を表す図である。
【図２】図１に示した壁掛けフックを壁板に取り付けた状態を表す図である。
【考案を実施するための形態】
【０００９】
以下、本考案の実施の形態について図面を参照して詳細に説明する。
【００１０】
図１は、本考案の一実施の形態に係る壁掛けフック１０の構成を表すものである。図２は、この壁掛けフック１０を壁板に取り付けた状態を表すものである。この壁掛けフック１０は、内装壁を構成する壁板２０に取り付けて用いるものであり、壁板２０に固定する固定部１１と、この固定部１１に配設されたフック部１２とを備えている。
【００１１】
固定部１１は、湾曲された棒状部材よりなり、一端部１１Ａを壁板２０に開けられた孔２１に表面から挿入して壁板２０に固定される。固定部１１の他端部１１Ｂには、壁板２０に設けられた孔２１に引っ掛かる止部１１Ｃが設けられている。止部１１Ｃは、例えば、固定部１１を構成する棒状部材の他端部１１Ｂを屈曲させることにより構成されている。止部１１Ｃの屈曲の角度は、例えば、９０度程度とすることが好ましい。これにより、固定部１１は、止部１１Ｃが引っ掛かるまで孔２１に挿入し、一端部１１Ａを壁板２０の裏面に当接させて壁板２０に固定されるようになっている。
【００１２】
固定部材１１を構成する棒状部材は、例えば、鋼やステンレスにより構成することが好ましい。棒状部材の太さは、例えば、１ｍｍから３ｍｍの範囲内とすることが好ましい。細すぎると十分な強度を得ることができず、太すぎると壁板２０に開ける孔２１が大きくなってしまうからである。一端部１１Ａと他端部１１Ｂとの間の距離は、例えば、５ｃｍから１３ｃｍとすることが好ましい。固定部材１１の湾曲の程度は、例えば、一端部１１Ａと他端部１１Ｂとを結ぶ直線から最も離れた位置までの距離が２．５ｃｍから６．５ｃｍとすることが好ましい。
【００１３】
固定部材１１の一端部１１Ａには、先端に向かい太さが細くなるように斜めに切断された傾斜部が形成されていることが好ましい。壁板２０が石膏ボード等の柔らかい材料よりなる場合には、固定部材１１の一端部１１Ａを突き刺すことにより容易に孔２１を開けることができるからである。また、壁板２０の裏面に当接させて固定する際には、壁板２０に一端部１１Ａの先端が突き刺さり、安定して固定することができるからである。なお、固定部材１１の一端部１１Ａには、傾斜部でなく、ねじを形成するようにしてもよい。ねじとすれば、壁板２０が石膏ボードのみならず木板よりなる場合であっても、ねじ込むことにより容易に孔２１を開けることができると共に、固定の際には壁板２０の裏面に突き刺すことができるからである。
【００１４】
フック部１２は、固定部１１の他端部１１Ｂに配設されている。フック部１２は、例えば、固定部材１１と同一の棒状部材により、固定部材１１と一体として形成されていることが好ましい。すなわち、固定部材１１の他端部１１Ｂを伸長させて、物体を掛けることができるように屈曲又は湾曲させた掛け部１２Ａが形成されていることが好ましい。このように１本の棒状部材を曲げることにより形成するようにすれば、構造を簡素化することができ、また、容易に形成することができるので好ましい。
【００１５】
この壁掛けフック１０は、例えば、次のようにして用いることができる。まず、壁板２０の壁掛けフック１０を取り付ける位置に孔２１を開ける。孔２１は、専用の道具を用いて開けてもよいが、固定部１１の一端部１１Ａを利用して開けてもよい。次いで、壁板２０の孔２１に表面から固定部１１の一端部１１Ａを挿入し、他端部１１Ｂの止部１１Ｃが孔２１に引っ掛かるまで入れ、一端部１１Ａを壁板２０の裏面に当接させて固定する。これにより、固定部１１は壁板２０の裏面側に配設され、フック部１２は壁板１２の表面側に飛び出して配設され、物体を掛けることができる。
【００１６】
この壁掛けフック１０は、全体がばねのように作用してフック部１２に掛けた物体を支持する。例えば、太さ２ｍｍの鋼により全体を構成した場合、５ｋｇの物体であっても支持することができる。また、壁掛けフック１０を壁板２０から取り外したり、取付の位置を変えた場合には、固定部１１の直径程度の孔２１が残るが、パテなどにより孔２１を埋めることにより目立たなくすることができる。
【００１７】
このように、本実施の形態によれば、固定部１１を湾曲された棒状部材により構成するようにしたので、固定部１１を壁板２０に開けられた孔２１に挿入することにより、簡単な構造で簡単に取り付けることができる。また、壁板２０に開ける孔２１は固定部１１の棒状部材の直径程度でよいので、大きな孔２１を開ける必要がなく、取り外したり、位置を変えた場合には、パテなどで容易に孔を埋めることができ、孔を目立たなくすることができる。
【００１８】
以上、実施の形態を挙げて本考案を説明したが、本考案は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【産業上の利用可能性】
【００１９】
壁に取り付けて物体を掛ける壁掛けフックに用いることができる。
【符号の説明】
【００２０】
１０…壁掛けフック、１１…固定部、１１Ａ…一端部、１１Ｂ…他端部、１１Ｃ…止部、１２…フック部、１２Ａ…掛け部、２０…壁板、２１…孔
【図１】
0003211361.tif 000003
【図２】
0003211361.tif 000004